(57)【要約】【課題】ガス富化装置の差圧発生手段の温度上昇を抑えるとともに、ガス富化効率がよく、しかもコンパクトな空気調和機を提供する。【解決手段】熱交換器３とそれに空気を流動させるファン４を収納する送風機室１２と、遮蔽板１３で送風機室１２と仕切られ圧縮機２を収納した圧縮室１１と、所定のガス濃度を高めるガス富化ユニット７ａと、ガス富化ユニット７ａの前後に差圧を発生させるポンプ８とを備え、少なくとも前記ポンプ８を、圧縮機室１１の上部に配置すると共に遮蔽板１３上部に設けた切り欠き１９を介してファン４による送風流れに臨ませたもので、ファン４の風でポンプ８が冷却されその温度上昇を抑えることができるとともに、ポンプ８用の送風ファンが不用になるので、空気調和機をコンパクトにすることができる。【選択図】図１
2005226855.tif 000002
【特許請求の範囲】
【請求項１】
熱交換器と前記熱交換器に対して空気を流動させるファンを収納する送風機室と、前記送風機室と仕切られ圧縮機を収納した圧縮室と、所定のガスの濃度を高めるガス富化手段と、前記ガス富化手段の前後に差圧を発生させる差圧発生手段とを備え、少なくとも前記差圧発生手段を、前記圧縮機室の上部に配置すると共に前記ファンによる送風流れに臨ませたことを特徴とする空気調和機。
【請求項２】
送風空間以外の空間に電源部を配し、差圧発生手段の電装部品を、シール手段を介して圧縮機室の天面を貫通させるとともに、前記電源部に電気的に接続させたことを特徴とする請求項１記載の空気調和機。
【請求項３】
ガス富化手段を差圧発生手段に隣接して配置したことを特徴とする請求項１又は２記載の空気調和機。
【請求項４】
ガス富化手段を、差圧発生手段に対して熱交換器と反対側に配置したことを特徴とする請求項３記載の空気調和機。
【発明の詳細な説明】
【技術分野】
【０００１】
本発明は、所定のガス成分の濃度を高める機能を有する空気調和機に関するものである。
【背景技術】
【０００２】
従来のこの種の空気調和機として、酸素濃度を高める酸素富化膜と、エアー配管と、前記酸素富化膜の前後に差圧を発生させる吸引エアーポンプと、前記酸素富化膜に空気を供給すると共に前記吸引エアーポンプを冷却する送風ファンと、エアフィルタを内蔵し一体型ブロックとした酸素富化ユニットケーシングを備え、その酸素富化ユニットケーシングを室外機の上部に載置固定したものがある（例えば、特許文献１参照）。
【特許文献１】特開平５−９９４５７号公報
【発明の開示】
【発明が解決しようとする課題】
【０００３】
しかしながら、前記従来の空気調和機の構成では、酸素ユニットケーシングが室外機上部に載置されるとともに、吸引エアーポンプ冷却用の送風ファンが設けられていたので、空気調和機のコンパクト化ができないという課題を有していた。
【０００４】
本発明は、前記従来の課題を解決するもので、コンパクトな空気調和機を提供することを目的とする。
【課題を解決するための手段】
【０００５】
前記従来の課題を解決するために、本発明の空気調和機は、熱交換器と前記熱交換器に対して空気を流動させるファンを収納する送風機室と、前記送風機室と仕切られ圧縮機を収納した圧縮室と、所定のガスの濃度を高めるガス富化手段と、前記ガス富化手段の前後に差圧を発生させる差圧発生手段とを備え、少なくとも前記差圧発生手段を、前記圧縮機室の上部に配置すると共に前記ファンによる送風流れに臨ませたもので、前記熱交換器用のファンの風で差圧発生手段が冷却されその温度上昇を抑えることができるとともに、前記差圧発生手段用の送風ファンが不用になるので、空気調和機をコンパクトにすることができる。
【発明の効果】
【０００６】
本発明の空気調和機は、熱交換器用のファンの風を差圧発生手段に送る事により、差圧発生手段が冷却され温度上昇の防止ができるとともに、差圧発生手段用の冷却ファンが不用になるので、空気調和機をコンパクトにすることができる。
【発明を実施するための最良の形態】
【０００７】
第１の発明は、熱交換器と前記熱交換器に対して空気を流動させるファンを収納する送風機室と、前記送風機室と仕切られ圧縮機を収納した圧縮室と、所定のガスの濃度を高めるガス富化手段と、前記ガス富化手段の前後に差圧を発生させる差圧発生手段とを備え、少なくとも前記差圧発生手段を、前記圧縮機室の上部に配置すると共に前記ファンによる送風流れに臨ませたもので、前記熱交換器用のファンの風で差圧発生手段が冷却されその温度上昇を抑えることができるとともに、前記差圧発生手段用の送風ファンが不用になるので、空気調和機をコンパクトにすることができる。
【０００８】
第２の発明は、特に、第１の発明のファンによる送風空間以外の空間に電源部を配し、差圧発生手段の電装部品を、シール手段を介して圧縮機室の天面を貫通させるとともに、前記電源部に電気的に接続させたもので、送風機室に流入する雨水が電源部に浸入することが無いので、雨水による故障もなく、信頼性も向上するものである。
【０００９】
第３の発明は、特に、第１又は第２の発明のガス富化手段を差圧発生手段に隣接して配置したもので、前記差圧発生手段から発せられる放熱エネルギーでガス富化手段の富化効率が向上し、ガス濃度成分を高めることができる。
【００１０】
第４の発明は、特に、第３の発明のガス富化手段を、差圧発生手段に対して熱交換器と反対側に配置したもので、前記ガス富化手段が前記差圧発生手段の下流側に位置することになり、前記差圧発生手段の放熱エネルギーがより効率良くガス富化手段に伝わり、富化効率がさらに向上し、ガス濃度成分をより高めることができる。
【００１１】
以下、本発明の実施の形態について、図面を参照しながら説明する。なお、この実施の形態によって本発明が限定されるものではない。
【００１２】
（実施の形態１）
図１（ａ）は、本発明の第１の実施の形態における空気調和機の内部構成を示す上面図、（ｂ）は、同空気調和機の内部構成を示す正面図である。
【００１３】
図において、空気調和機の室外機１の一方には、圧縮機２を内蔵した圧縮機室１１が配され、他方に圧縮機２で圧縮したガスを熱交換する熱交換器３と、熱交換器３に風を通して熱交換を促進するファン４と、ファン４を回転駆動するモーター５を内蔵した送風機室１２が配され、圧縮機室１１と送風機室１２は、遮蔽板１３で仕切られている。
【００１４】
モーター５の駆動により、ファン４が回転すると、Ａ方向から熱交換器３を通して空気を吸い込み、Ｂ方向へ排出する。ファン４は、エアガイダ６により、より良い性能を出すことができるようになっている。
【００１５】
７は、所定のガス成分の濃度を高めた空気を得るためのガス富化装置で、所定のガス成分の濃度を高めるガス富化手段となるガス富化ユニット７ａと、ガス富化ユニット７ａの上流側と下流側に差圧を発生させると共にガス成分を送り出す差圧発生手段となるポンプ８と、ガス成分を送るチューブ９と、ガス成分を室内などに吐出する吐出口１０で構成されている。圧縮機室１１の天面は、電源板１４で構成されるとともに、その上部にポンプ８と、その反熱交換機３側にガス富化ユニット７ａが隣接して配置されている。すなわち、圧縮機室１１は、遮蔽板１３と電源板１４とで、送風機室１２と隔離されている。
【００１６】
ポンプ８に通電するための電装部品であるリード線１５は、電源板１４に設けた貫通穴１６より引廻しされ電気部品１７も電源板１４の下部に配置されている。貫通穴１６には、シール手段であるシール材１８を設けて、圧縮機室１１内に雨水が浸入しないようにしている。また、遮蔽板１３の上部には、図２に示すように切り欠き１９が設けられ、ファン４による風が切り欠き１９より流入し、ポンプ８とガス富化ユニット７ａに当たるようにしている。
【００１７】
以上のように構成された空気調和機について、以下その動作、作用を説明する。
【００１８】
まず、圧縮機２で圧縮されたガスを熱交換器２で熱交換し、放熱のためにモーター５を駆動してファン２を回転させる。また、ガス富化装置７は、ガス成分を送り出すポンプ８を駆動させることにより、所定ガス成分の濃度が高められた空気が、ガス富化ユニット７ａのガス取出口（図示せず）から吐出され、チューブ９を通って吐出口１０より排出される。
【００１９】
また、遮蔽板１３の上部に設けた切り欠き１９により、送風機室１２とポンプ８、ガス富化ユニット７ａを設けた部分が連通しているので、ファン４の回転により熱交換器３を通過した送風流れにポンプ８が曝され冷却されるので、ポンプ８の温度上昇を抑える事ができるものである。
【００２０】
以上のように、本実施の形態によれば、遮蔽板１３に切り欠き１９を設けることにより、ファン４からの風を得てポンプ８の温度上昇を防止することができる。
【００２１】
また、本実施の形態ではガス富化ユニット７ａとポンプ８が隣接配置したことによりポンプ８からの放熱エネルギーにより、ガス富化効率が向上し、ガス成分濃度を高めることもできるものである。
【００２２】
また、ガス富化ユニット７ａをポンプ８に対して熱交換器３と反対側に配置することにより、ガス富化ユニット７ａがポンプ８の下流側に位置することになり、前記ポンプ８ａの放熱エネルギーがより効率良くガス富化ユニット７ａに伝わり、富化効率がさらに向上し、ガス濃度成分をより高めることができる。
【００２３】
なお、上記実施の形態では、圧縮機室１１の天面部材として電源板１４を用いたが、勿論、一般の金属板或いは樹脂部材であっても良い。
【産業上の利用可能性】
【００２４】
以上のように、本発明にかかる空気調和機は、ガス富化装置を備えているにもかかわらずコンパクトであり、しかも熱交換機用のファンの風で差圧発生手段が効率良く冷却され、温度上昇が抑制されるので、ガス富化装置を備えた送風機、暖房機器、冷房機器、空気清浄機等にも広く適用できるものである。
【図面の簡単な説明】
【００２５】
【図１】（ａ）本発明の実施の形態１における空気調和機の上面図（ｂ）同空気調和機の正面図
【図２】図１のＣ矢視図
【符号の説明】
【００２６】
１  室外機
２  圧縮機
３  熱交換機
４  ファン
７  ガス富化装置
７ａ  ガス富化ユニット（ガス富化手段）
８  ポンプ（差圧発生手段）
１０  吐出口
１１  圧縮機室
１２  送風機室
１３  遮蔽板
１４  電源板
１５  リード線
１６  貫通穴
１７  電気部品
１８  シール材（シール手段）
１９  切り欠き
【図１】
2005226855.tif 000003
【図２】
2005226855.tif 000004